(57)【特許請求の範囲】
【請求項１】
二階建て以上の建物に建築されるとともに、下階の外壁面が上階の外壁面よりも屋外側に突出した下屋部の上に形成された下屋バルコニであって、
前記下屋部の屋根と前記上階の外壁面との間に当該下屋バルコニの床が設けられ、前記下屋部の屋根内部が収納庫とされ、この収納庫に出入りするための出入用開口部が前記床に臨んで設けられており、
前記下屋バルコニの床は、前記上階の外壁面の一端から他端に向かって下る水勾配を有するものであり、
前記出入用開口部はこの水勾配の上流側に配置されていることを特徴とする下屋バルコニ。
【請求項２】
二階建て以上の建物に建築されるとともに、下階の外壁面が上階の外壁面よりも屋外側に突出した下屋部の上に形成された下屋バルコニであって、
前記下屋部の屋根と前記上階の外壁面との間に当該下屋バルコニの床が設けられ、前記下屋部の屋根内部が収納庫とされ、この収納庫に出入りするための出入用開口部が前記床に臨んで設けられており、
前記下屋バルコニの床は、屋外側に下がり勾配となる水勾配を有し、その先端部には、側溝が設けられており、
前記側溝は、前記上階の外壁面の一端側から他端側に向かって下がり勾配となっており、
前記出入用開口部は、前記側溝の勾配の上流側に配置されていることを特徴とする下屋バルコニ。
【請求項３】
請求項１または請求項２に記載の下屋バルコニにおいて、
前記出入用開口部は、その下部端縁が前記下屋バルコニの床の床面レベルよりも上方に配置されていることを特徴とする下屋バルコニ。
【請求項４】
請求項１〜３のいずれかに記載の下屋バルコニにおいて、
前記下屋部は前記建物の桁方向に沿った前記外壁面から突出するものであり、当該下屋部の前記屋根は屋外側に下がり勾配となった片流れの屋根となっていることを特徴とする下屋バルコニ。
【請求項５】
請求項１〜３のいずれかに記載の下屋バルコニにおいて、
前記下屋部は前記建物の妻方向に沿った前記外壁面から突出するものであり、当該下屋部の前記屋根は、前記妻方向と直交する棟を有し、この棟の両側から下がり勾配となった両流れの屋根となっていることを特徴とする下屋バルコニ。
【請求項６】
請求項１〜５のいずれかに記載の下屋バルコニにおいて、
前記建物は複数の略箱状の建物ユニットを組み合わせて形成されるユニット式建物であり、
当該下屋バルコニを形成する下屋バルコニユニットは、前記下屋バルコニの床を形成する床部と、前記収納庫を形成する収納部と、前記下屋部の屋根を形成する屋根部とを備えていることを特徴とする下屋バルコニ。
【発明の詳細な説明】
【０００１】
【発明の属する技術分野】
本発明は、二階建て以上の建物に建築されるとともに、下階の外壁面が上階の外壁面よりも屋外側に突出した下屋部の上に形成される下屋バルコニに関する。
【０００２】
【背景技術】
従来より、二階建て以上の建物においては、下階の外壁面が上階の外壁面よりも屋外側に突出した下屋部を設けたものがあり、この下屋部の上部にいわゆる下屋バルコニを形成したものがある。
このような、下屋バルコニは、下屋部上に形成されるため、片持ちバルコニ（キャンティバルコニ）とは異なり、上階の外壁面からの突出量を大きくすることができ、面積の大きな床を形成することができる。
従って、下屋バルコニは、洗濯物を乾燥させる物干し等の生活ユーティリティとして使用されるだけでなく、園芸等の趣味の空間としても使用され、その用途は、多様化している。
【０００３】
【発明が解決しようとする課題】
しかしながら、趣味等で使用する場合には、その趣味に応じた道具、備品がつきものであるが、室内に保管しなければならないものも多く、趣味を開始するとときは、室内から道具、備品を取り出し、趣味を終えるときにはその取り込みが必要となる。
これでは、多用途に下屋バルコニが使用できるにもかかわらず、下屋バルコニの使い勝手がよくないことがあるという問題がある。
【０００４】
本発明の目的は、下屋バルコニを多用途に使用するにあたり、その有用性を十分に向上することのできる下屋バルコニを提供するものである。
【０００５】
【課題を解決するための手段】
本発明に係る下屋バルコニの収納構造は、図面の符号を参照して説明すれば、二階建て以上の建物１０、５０に建築されるとともに、下階の外壁面２２が上階の外壁面２１、５１１よりも屋外側に突出した下屋部１２、５２の上に形成された下屋バルコニ４０、５３であって、前記下屋部１２、５２の屋根４１、５４と前記上階の外壁面２１、５１１との間に当該下屋バルコニの床４４が設けられ、前記下屋部１２、５２の屋根４１、５４内部が収納庫４３、５５とされ、この収納庫４３、５３に出入りするための出入用開口部４５が前記床４４に臨んで設けられており、前記下屋バルコニ５３の床４４は、上階の外壁面５１１の一端から他端に向かって下る水勾配Ｅを有し、かつ出入用開口部４５はこの水勾配Ｅの上流側に配置されていることを特徴とする。
このような本発明によれば、下屋バルコニ４０、５３に趣味等で使用する道具、備品の出し入れのできる専用の収納庫４３、５５が当該下屋バルコニ４０、５３に隣接して設けられるので、使い勝手がよくなり、多用途化した下屋バルコニの有用性が向上する。
また、下屋バルコニ５３の床４４がこのような水勾配Ｅを有し、出入用開口部４５がその上流側に配置されることにより、下屋バルコニ５３の床４４に降り注ぐ雨水が出入用開口部４５付近に溜まることがなくなるので、収納庫５５内への雨水の浸入が一層確実に防止される。
また、本発明に係る下屋バルコニの収納構造は、図面の符号を参照して説明すれば、二階建て以上の建物１０、５０に建築されるとともに、下階の外壁面２２が上階の外壁面２１、５１１よりも屋外側に突出した下屋部１２、５２の上に形成された下屋バルコニ４０、５３であって、前記下屋部１２、５２の屋根４１、５４と前記上階の外壁面２１、５１１との間に当該下屋バルコニの床４４が設けられ、前記下屋部１２、５２の屋根４１、５４内部が収納庫４３、５５とされ、この収納庫４３、５５に出入りするための出入用開口部４５が前記床４４に臨んで設けられており、前記下屋バルコニ４０の床４４は、屋外側に下がり勾配となる水勾配Ｄを有し、その先端部には、側溝４６が設けられており、前記側溝４６は、前記上階の外壁面２１の一端側から他端側に向かって下がり勾配となっており、前記出入用開口部４５は、前記側溝４６の勾配の上流側に配置されていることを特徴とする。
【０００６】
以上において、下屋部１２が建物１０の桁方向に延出する場合、当該下屋部１２の屋根は屋外側に下がり勾配となった片流れの屋根４１となる。
このような片流れの屋根４１の内部が収納庫４３とされれば、収納庫４３は幅広く形成できるので、棒状部材等の長尺物を収納することも可能となる。
また、下屋部５２が建物５０の妻方向に延出する場合、当該下屋部５２の屋根は、妻方向と直交する棟５６を有し、この棟５６の両側から下がり勾配となった両流れの屋根５４となる。
このような両流れの屋根５４の内部が収納庫５５とされれば、収納庫５５の天井高が十分確保され、出入用開口部４５も大きくとれるので、大きな物を効率よく収納することが可能となる。
【０００７】
さらに、出入用開口部４５は、その下部端縁４５Ａが下屋バルコニ４０の床４４の床面レベルよりも上方に配置されているのが好ましい。
すなわち、出入用開口部４５の下部端縁４５Ａを床面レベルよりも上方に配置すれば、床面と出入用開口部との間に止水用の立ち上がり部４７が形成され、下屋バルコニ４０に降り注ぐ雨水が収納庫４３、５５内に浸入することがなくなり、趣味等で使用する道具、備品等が雨水で濡れることが防止される。
【０００９】
そして、上述した下屋バルコニ４０、５３が複数の略箱状の建物ユニット１００を組み合わせて形成されるユニット式建物１０、５０に形成される場合、当該下屋バルコニ４０、５３は、その床４４を形成する床部４４０と、下屋部１２、５２の屋根４１、５４を形成する屋根部４１０、５３１と、この屋根４１、５４の内部に形成される収納庫４３、５５を形成する収納部４３０、５３２と、を備えた下屋バルコニユニット４００、５３０によって形成されているのが好ましい。
下屋バルコニ４０、５３が下屋バルコニユニット４００、５３０により形成されていることにより、下屋部１２、５２上に下屋バルコニ４００、５３０を載置するだけで、同時に下屋バルコニ４０の床４４、屋根４１、５４、収納庫４３、５５を形成することが可能となり、建築現場における作業の軽減と工期の短縮が図られる。
【００１０】
【発明の実施の形態】
本発明の第１実施形態を図面に基づいて説明する。
図１には、本発明の第１実施形態に係る下屋バルコニを形成したユニット式建物が示されている。
ユニット式建物１０は、二階建ての本屋部１１と、この本屋部１１の上階の外壁面２１から下階の外壁面２２が本屋部１１の桁方向に沿って突出した下屋部１２とを含んで形成される。
本屋部１１の上部には、主屋根３１が設けられているとともに、下屋部１２の上部には、本屋部１１の外壁面２１に隣接して下屋バルコニ４０が設けられている。
【００１１】
下屋バルコニ４０は、桁方向に沿って延出しかつ屋外側に下がり勾配となった片流れの屋根（以下片流れ屋根）４１と、この片流れ屋根４１の室内側端部が当接する手摺４２と、片流れ屋根４１の内部に設けられる収納庫４３と、図１では図示を略したが後述する床４４と、を含んで形成されている。
【００１２】
本屋部１１および下屋部１２は、箱状の建物ユニット１００を組み合わせることにより形成されている。建物ユニット１００は、図１では図示を略したが、後述する四隅に立設される柱１０１と、これらの柱１０１の上端間、下端間を連絡する梁１０２とからなるフレーム１０３を有し、このフレーム１０３の内部に内外装部材、床材、建具部材、その他の必要な設備部材が設けられたものである。主屋根３１も同様に屋根ユニット３１０を組み合わせて形成され、上述した建物ユニット１００の平面配置に対応して載せられている。
尚、屋根ユニット３１０は、図１では図示を略したが、矩形状のベースフレームと、この上に立設される束部材と、この束部材と接合されかつ鋼製枠上に屋根材を取り付けた屋根パネルとを含んで形成される。
また、下屋バルコニ４０も、上記下屋部１２の平面配置に対応して載置される下屋バルコニユニット４００を組み合わせて形成されている。
【００１３】
尚、このような建物ユニット１００、屋根ユニット３１０、下屋バルコニユニット４００は、予め工場で上述した外装部材等を取り付けておき、その組み立て終了後にトラックで輸送される。そして、これらのユニットが建築現場において揚重量機により所定の位置に配置されることにより、ユニット式建物１０が完成する。
このようなユニット式建物１０でによれば、建築現場における作業の簡単化、工期の短縮を図ることができる。
【００１４】
図２には、上述した下屋バルコニ４０の垂直方向断面図が示されており、下屋バルコニ４０は、上述したように、片流れ屋根４１、手摺り４２、収納庫４３、床４４を有し、床４４は本屋部１１の外壁面２１からＬ寸法だけ突出し、残りの部分に片流れ屋根４１が設けられ、この片流れ屋根４１の小屋裏空間が収納庫４３とされている。尚、当該下屋バルコニ４０の床４４の突出寸法Ｌは、従来例にいう片持ちバルコニに比較して十分大きくとることが可能であり、下屋１２の大きさに応じて適宜決定していく。
【００１５】
収納庫４３の物の出し入れは、本屋部１１の外壁面２１に対向する手摺り４２の内向き垂直面４２Ａに前記下屋バルコニの床４４を臨むように設けられた出入用開口部４５によって行われる。
また、下屋バルコニ４０の床４４は屋外側に下がり勾配となる水勾配Ｄを有し、その先端部には、側溝４６が設けられている。
さらに、上述した出入用開口部４５の下部端縁４５Ａは、前記床４４の床面レベルよりも十分高くなっており、これにより、止水用の立ち上がり部４７が形成されている。
【００１６】
このような下屋バルコニ４０は、図３に示すように、ベースフレーム４０１上に屋根部４１０と、手摺り部４２０と、収納部４３０と、床部４４０とを設けた下屋バルコニユニット４００を組み合わせて形成される。
ベースフレーム４０１は、Ｃ形鋼を長方形状に組み合わせた鋼製フレームであり、短辺梁４０２が前記下屋バルコニ４０の突出方向に配置されるとともに、長辺梁４０３が本屋部１１の桁方向に沿って配置される。
手摺り部４２０は、ベースフレーム４０１上に図３に示されるように、平面Ｌ字状に設けられており、手摺り部４２０の長辺部分は互いに対向する一対の短辺梁４０２の略中央部に設けられ、他の部分はベースフレーム４０１の端部となる短辺梁４０２に沿って設けられている。
【００１７】
手摺り部４２０は、前記ベースフレーム４０１上の立設される鋼製フレーム４２１と、この鋼製フレーム４２１を両側から覆うボード４２２と、これらの上部を覆う手摺りカバー４２３とを有し、その長辺部分の垂直面４２Ａには、前記出入用開口部４５が設けられている。
鋼製フレーム４２１は、ベースフレーム４０１上に接合された底部ランナ４２１Ａと、この底部ランナ４２１Ａ上にその延出方向に沿って複数本立設される垂直部材４２１Ｂと、複数本の垂直部材４２１Ｂの上端をつなぐ上部ランナ４２１Ｃとを有する梯子形状をなしている。
【００１８】
屋根部４１０は、Ｃ形鋼で組んだフレーム４１１上に合板４１２を取り付け、その上に図３では図示しないアスファルトフェルトを貼り、さらにその上に屋根材４１３を取り付けた屋根パネル４１４をベースフレーム４０１に取り付けることにより形成される。
屋根パネル４１４は、その下部が前記ベースフレーム４０１に図３では図示しない屋根受けブラケットで接合固定されるとともに、上部端縁が手摺り部４２０の垂直部材４２１Ｂの屋外側側面に溶接されて片流れの勾配が形成される。
【００１９】
収納庫４３０は、この屋根部４１０および前記手摺り部４２０に囲まれた小屋裏空間に形成される。収納庫４３０の床面は、前記ベースフレーム４０１の一対の短辺梁４０２間に架設される根太４３１上にパーティクルボード４３２を取付て形成される。
床部４４０は、一対の短辺梁４０２間に架設される根太４４１と、この根太４４１上に設けられるパーティクルボード４４２と、パーティクルボード４４２の上部に敷設される防水シート４４３とを含んで形成され、その屋外側先端部には、前述した側溝４６が配設されている。
尚、根太４４１は、それぞれの高さ寸法に微妙に差を設けてあり、図３中右手前の根太４４１が最も高さ寸法が大きくなり、側溝４６に向かうに従って、根太４４１の高さ寸法は小さくなっていき、これらの根太４４１上にパーティクルボード４４２が取り付けられることにより、床部４４０は水勾配Ｄが形成された床面となる。
【００２０】
また、側溝４６の図３中右側端部には、集水口４６Ａが設けられているとともに、側溝４６自身も図３中左側から右側に向かって下がり勾配となっている。
従って、床部４４０に降り注いだ雨水は、床部４４０の水勾配Ｄ及び側溝４６の勾配によってすべて集水口４６Ａに集められ排水される。
尚、防水シート４４３は、側溝４６の下部を回り込み、その端部４４３Ａが前記手摺り部４２０の垂直面４２Ａ、すなわち上述した出入用開口部４５下の立ち上がり部４７まで達しており、これにより確実な止水が達成されている。
【００２１】
収納庫４３０への出入用開口部４５は、上述した側溝４６の勾配の上流側に配置されている。尚、その開口枠は、前述した隣り合う２本の垂直部材４２１Ｂ間に接合されるとともに、これらの垂直部材４２１Ｂ間に架設される水平梁（図３では図示略）にも接合固定されている。
【００２２】
上述のような第１実施形態によれば次のような効果がある。
下屋バルコニ４０に隣接して収納庫４３が設けられかつその出入用開口部４５が当該下屋バルコニ４０の床４４を臨む面に形成されていることにより、下屋バルコニ４０専用の収納庫とすることができるので、趣味等で使用する道具、備品を下屋バルコニ４０上で出し入れすることができ、下屋バルコニ４０の使い勝手が向上し、多用途化した下屋バルコニ４０の有用性を向上することができる。
また、片流れ屋根４１の内部に幅広の収納庫４３が形成されているので、棒状部材等の長尺物を収納することができる。
【００２３】
さらに、出入用開口部４５の下部端縁が床４４の床面レベルよりも十分高くなっていることにより、床４４の床面と出入用開口部４５との間に止水用の立ち上がり部４７が形成されるので、床４４に降り注ぐ雨水が収納庫４３内部に浸入することもなく、内部の収納物が濡れてしまうこともない。
そして、出入用開口部４５が側溝４６の勾配上方にあるので、出入用開口部４５の近傍で雨水が集まることもなく、より確実に収納庫４３への雨水の浸入の防止を図ることができる。
また、下屋バルコニ４０が屋根部４１０と、手摺り部４２０と、収納部４３０と、床部４４０とを備えていることにより、下屋バルコニユニット４００を載置するだけで本発明に係る下屋バルコニ４０を形成することができるので、建築現場における作業の簡単化と工期の短縮を図ることができる。
【００２４】
図４には、本発明の第２実施形態に係る下屋バルコニを有するユニット式建物が示されている。尚、以下の説明では、既に説明した部材又は部分と同一又は類似の部材等については、同一符号を付し、その説明を簡略又は省略する。
前述した第１実施形態に係るユニット式建物１０における下屋バルコニ４０は、本屋部１１の桁方向に沿って形成されていたが、これに対して、第２実施形態に係るユニット式建物５０の下屋バルコニ５３は、本屋部５１の妻方向に沿って形成されている点が相違する。
【００２５】
下屋バルコニ５３は、本屋部５１の妻方向に沿った外壁面５１１から突出する下屋部５２の上部に形成される両流れの屋根（以下両流れ屋根）５４と、この両流れ屋根５４の室内側に当接して設けられる手摺り４２と、両流れ屋根の内部に設けられる収納庫５５と、下屋バルコニ５３の床４４とを含んで形成される。
両流れ屋根５４は、ユニット式建物５０の妻方向に直交して形成される棟５６から両側から下がり勾配となった屋根面形状を有し、この棟５６の直下に収納庫５５が設けられている。
また、床４４は、本屋部５１の妻方向の外壁面５１１から突出して形成され、かつ、図６に示すように、当該外壁面５１１の一端から他端に沿って水勾配Ｅが形成されている。尚、側溝４６は、床４４の端部に外壁面５１１から突出するように設けられている。
【００２６】
このような下屋バルコニ５３は、図４に示されるように、中央部に配置される下屋バルコニユニット５３０と、この左右両側に配置される端部用下屋バルコニユニット５４０とを前記下屋部５２上に載置して形成される。
前記下屋バルコニユニット５３０は、前述した第１実施形態に係る下屋バルコニユニット４００と同様の構成を有し、図５に示すような形状となっている。
第１実施形態に係るバルコニユニット４００との相違は、屋根部５３１が棟５６を備えた両流れの屋根面を有することにあり、収納部５３２は、この棟５６の直下にあり、手摺り部４２０の室内側面に設けられる出入用開口部４５も十分大きくなっている点にある。
【００２７】
屋根部５３１は、第１実施形態に係る屋根部４１０と同様に、フレーム４１１上に合板４１２、屋根材４１３を設けたパネル２枚を前記棟５６でつなぎ合わせて四隅に立設される束部材５３３によって支持させるとともに、室内側端部を手摺り部４２０に当接接合させて形成されている。
収納部５３２の前記出入用開口部４５の対向する奥側の面には、下屋部５２の妻壁を形成するためのＡＬＣ板５３４が取り付けられている。
尚、棟５６でのパネルの接合は、２つのフレーム４１１の屋根材４１３が貼られない面で突き合わせ、この部分をブラケットおよびボルトナットによって複数箇所、緊結固定することによって行われる。
【００２８】
第２実施形態に係る下屋バルコニ５３０によれば、前述の第１実施形態による効果に加えて以下のような効果を有する。
すなわち、収納庫５５が両流れ屋根５４の棟５６直下に設けられるので、天井高を十分に確保した収納庫５５を設けることができ、大きな物を効率よく収納することができる。
また、両流れ屋根５４を支持する束部材５３３が棟５６の直下に設けられていないので、棟５６の直下で大きな出入用開口部４５を形成することができ、収納効率は一層向上し、使い勝手もより向上する。
さらに、床４４に本屋部の上階外壁面５１１の一端から他端に向かって下る水勾配Ｅが形成され、出入用開口部４５が勾配の上流側に配置されていることにより、出入用開口部４５付近に雨水が溜まることがなくなるので、収納庫５５内への雨水の浸入が一層確実に防止される。
【００２９】
尚、本発明は前述の実施形態に限定されるものではなく、次に示すような変形等をも含むものである。
すなわち、前述の実施形態では、下屋部１２、５２は、建物ユニット１００の１つ分しか突出していなかったがこれに限られず、下屋部１２、５２に形成される居室面積に応じて、２つ以上の建物ユニット１００を突出させてもよい。要するに、下屋バルコニ４０の床４４が多用途に使用しうる床の突出寸法であれば、本発明を利用することができる。
また、前述の実施形態では、フレームを有する建物ユニット１００を組み合わせて形成されるユニット式建物１０、５０について本発明を実施していたが、これに限らず、パネル構法のユニット式建物に本発明を実施してもよく、さらには、いわゆる在来構法、例えば木造軸組構法の建物や鉄骨軸組構法の建物において本発明を実施してもよい。
【００３０】
さらに、前述の実施形態では、２階建ての建物１０、５０に本発明を実施していたが、これに限らず、３階建ての建物やそれ以上の階高の建物に実施してもよい。要するに、本屋部に当該本屋部よりも階高の低い下屋部が隣接する建物の構造であればよい。
そして、前述の実施形態では、屋根４１、５４が切り妻形状の勾配屋根であったが、これに限らず、寄せ棟形状の屋根や、陸屋根であってもよい。
その他、本発明の実施の際の具体的な構造および形状等は、本発明の目的を達成できる範囲で他の構造等であってもよい。
【００３１】
【発明の効果】
前述のように本発明の下屋バルコニによれば、下屋バルコニに専用の収納庫が確保できるので、下屋バルコニを多用途に使用するにあたり、その有用性を十分に向上することができる。
【図面の簡単な説明】
【図１】本発明の第１実施形態に係るユニット式建物を示す概要斜視図である。
【図２】前述の実施形態における下屋バルコニの納まりを示す垂直方向断面詳細図である。
【図３】前述の実施形態における下屋バルコニを構成する下屋バルコニユニットを示す概要斜視図である。
【図４】本発明の第２実施形態に係るユニット式建物を示す概要斜視図である。
【図５】前述の実施形態における下屋バルコニを構成する下屋バルコニユニットを示す概要斜視図である。
【図６】前述の実施形態における下屋バルコニの床の水勾配を示す平面図である。
【符号の説明】
１０、５０  建物（ユニット式建物）
１２、５２  下屋部
２１、５１１  上階の外壁面
２２  下階の外壁面
４０、５３  下屋バルコニ
４１  片流れの屋根
４３  収納庫
４４  床
４５  出入用開口部
４５Ａ  出入用開口部の下部端縁
５４  両流れの屋根
４００、５３０  下屋バルコニユニット
４１０、５３１  屋根部
４３０、５３２  収納部
４４０  床部
Ｄ、Ｅ  水勾配
【図１】
0003766731.tif 000002
【図２】
0003766731.tif 000003
【図３】
0003766731.tif 000004
【図４】
0003766731.tif 000005
【図５】
0003766731.tif 000006
【図６】
0003766731.tif 000007